(57)【特許請求の範囲】
【請求項１】
複数のサブキャリアを用いて複数の移動局を周波数時軸上で多重化する周波数分割多元接続方式のマルチキャリア通信基地局装置であって、
各移動局の各サブキャリアの伝送レート情報を管理する伝送レート情報管理部と、
伝送レート情報に基づいてサブキャリア割り当てを行うサブキャリア割り当て部を備え、
前記サブキャリア割り当て部は、
各移動局において伝送レート情報に基づいて割り当て対象とするサブキャリアを選択する選択手段と、
各移動局において伝送レート情報に基づいて、割り当て対象のサブキャリアに関する伝送レートの基準値を算出し、当該基準値と、割り当て外のサブキャリアの伝送レートの差分を評価した評価値を算出する評価値算出手段と、
前記評価値算出手段により算出された評価値に基づいて各サブキャリアに割り当てる移動局の優先度を決定する優先度決定手段を有するマルチキャリア通信基地局装置。
【請求項２】
前記選択手段は、伝送レート情報より閾値を算出し、閾値以上のサブキャリアを割り当て対象とすることを特徴とする請求項１記載のマルチキャリア通信基地局装置。
【請求項３】
前記閾値は、各移動局のサブキャリアにおいて送信可能な最大伝送レートとすることを特徴とする請求項２記載のマルチキャリア通信基地局装置。
【請求項４】
前記閾値は、各移動局のサブキャリアの伝送レートの平均値とすることを特徴とする請求項２記載のマルチキャリア通信基地局装置。
【請求項５】
前記伝送レートの基準値は、割り当て対象となっている各移動局のサブキャリアの平均伝送レートとすることを特徴とする請求項１〜４いずれかに記載のマルチキャリア通信基地局装置。
【請求項６】
前記評価値算出手段により算出される評価値は、移動局ｉにおいて割り当て対象としているサブキャリアの平均伝送レートをＲａｖｅ，ｉ、割り当て対象外としたサブキャリア数をｎ、割り当て対象外としたサブキャリアのインデックスをｐ、割り当て対象外のサブキャリアの伝送レートをＲｏ，ｐ、前記サブキャリア割り当て部にてあらかじめ決定したパラメータをＲｖ０としたとき、次式によって算出することを特徴とする請求項１〜５いずれかに記載のマルチキャリア通信基地局装置。
【数１】
0004353302.tif 000003
【請求項７】
前記優先度決定手段は、前記評価値が大きい移動局に高い優先度を与えることを特徴とする請求項６記載のマルチキャリア通信基地局装置。
【請求項８】
前記選択手段は、割り当て対象とするサブキャリアを選択しサブキャリア割り当てを行った後に再度割り当て対象とするサブキャリアを選択することを特徴とする請求項１〜７いずれかに記載のマルチキャリア通信基地局装置。
【請求項９】
複数のサブキャリアを用いて複数の移動局を周波数時軸上で多重化する周波数分割多元接続方式におけるサブキャリア割り当て方法であって、
各移動局において伝送レート情報に基づいて割り当て対象とするサブキャリアを選択するステップと、
各移動局において伝送レート情報に基づいて、割り当て対象のサブキャリアに関する伝送レートの基準値を算出し、当該基準値と、割り当て外のサブキャリアの伝送レートの差分を評価した値を算出するステップと、
評価値により各サブキャリアに割り当てる移動局の優先度を決定するステップを備えたサブキャリア割り当て方法。
【請求項１０】
前記割り当て対象とするサブキャリアを選択するステップは、伝送レート情報より閾値を算出し、閾値以上のサブキャリアを割り当て対象とすることを特徴とする請求項９記載のサブキャリア割り当て方法。
【請求項１１】
前記閾値は、各移動局のサブキャリアにおいて送信可能な最大伝送レートとすることを特徴とする請求項１０記載のサブキャリア割り当て方法。
【請求項１２】
前記閾値は、各移動局のサブキャリアの伝送レートの平均値とすることを特徴とする請求項１０記載のサブキャリア割り当て方法。
【請求項１３】
前記伝送レートの基準値は、割り当て対象となっている各移動局のサブキャリアの平均伝送レートとすることを特徴とする請求項９〜１２いずれかに記載のサブキャリア割り当て方法。
【請求項１４】
前記評価値は、移動局iにおいて割り当て対象としているサブキャリアの平均伝送レートをRave,i、割り当て対象外としたサブキャリア数をn、割り当て対象外としたサブキャリアのインデックスをp、割り当て対象外としたサブキャリアの伝送レートをRo,p、あらかじめ決定したパラメータをRv0とし、次式によって算出することを特徴とする請求項９〜１３いずれかに記載のサブキャリア割り当て方法。
【数２】
0004353302.tif 000004
【請求項１５】
前記各サブキャリアに割り当てる移動局の優先度を決定するステップとして、伝送レートの基準値とサブキャリアの伝送レートの差分を評価した値が大きい移動局に高い優先度を与えることを特徴とする請求項１６記載のサブチャネル割り当て方法。
【請求項１６】
前記割り当て対象とするサブキャリアを選択するステップは、割り当て対象とするサブキャリアを選択しサブキャリア割り当てを行った後に再度割り当て対象とするサブキャリアを選択することを特徴とする請求項９から１５記載のサブチャネル割り当て方法。
【発明の詳細な説明】
【技術分野】
【０００１】
本発明は、マルチキャリアを用いて複数の移動局との通信を多重化するマルチキャリア通信基地局装置及びそのサブキャリア割り当て方法に関する。
【背景技術】
【０００２】
近年、マルチキャリア変調方式の一つである直交周波数分割多重(Orthogonal Frequency Division Multiplexing：ＯＦＤＭ)方式において、各サブキャリア、または複数のサブキャリアをグルーピングした各サブチャネルにユーザーを割り当てることにより多元接続を実現する直交周波数分割多元接続(Orthogonal Frequency Division Multiple Access：ＯＦＤＭＡ)方式が注目されている。このＯＦＤＭＡ方式は、例えば米国電気電子学会の標準規格であるIEEE802.16eにて検討されている。
【０００３】
ＯＦＤＭ方式では周波数の異なるＮ個のサブキャリアを用いて情報を送信する。このとき、送信信号が様々な経路を通り受信されるマルチパスフェージング環境では、各サブキャリアの無線品質は異なるため、各移動局にとって、無線品質の良いサブキャリアが異なる。したがって、各移動局に対して、できるだけ無線品質の良いと判断されるサブキャリアを割り当てる必要がある。ここで、無線品質の良いサブキャリアであるほど、高い伝送レートで通信を行うことができるから、各移動局に対してできるだけ無線品質の良いサブキャリアをアサインすれば、システム全体として効率の良い通信を行うことができる。
【０００４】
従来方式として、各移動局に対してサブキャリアの伝送レートの分散値を計算し、要求伝送レートを満たすまで分散値の一番大きい移動局に対してサブキャリアを割り当てる方式が提案されている（例えば、特許文献１参照）。
【０００５】
特許文献１に記載されたサブキャリア割り当て法について、具体例を用いて説明する。本例では、移動局数を３、サブキャリア数を５とする。また、本例では、図１１に示す表に従って、伝送レートを変調方式、符号化率に基づき算出する。
【０００６】
まず、移動局のそれぞれについて、図１１に示される表に従って、各サブキャリアの伝送レートと、その分散値を算出する。図１２は、３つの移動局のそれぞれについて、サブキャリア毎の伝送レート、伝送レートの分散値、移動局より要求された伝送レートを示した表である。
【０００７】
最初に、３つの移動局のうち、分散値が大きい移動局３からサブキャリア割り当てが開始される。そして、移動局３のサブキャリアの中で、伝送レートの高いサブキャリア３、４が優先的に割り当てられる。サブキャリア３、４を割り当てると、合計伝送レートは、３＋３＝６となり、移動局３の要求伝送レートである６を満たすため、移動局３のサブキャリア割り当てを終了する。
【０００８】
さらに、移動局３の次に分散値の高い移動局１にサブキャリア割り当てが行われる。そして、移動局１のサブキャリアの中のうち、サブキャリア３、４については移動局３に対して既に割り当てられているため、残りのサブキャリア１、２、５において伝送レートの高いサブキャリアから割り当てられる。本例では、移動局１はサブキャリア１、２、５を割り当てると、合計伝送レートは、１＋１＋１．５＝３．５となり、移動局１の要求伝送レート３を満たすため、移動局１のサブキャリア割り当てを終了する。これにより全てのサブキャリア１〜５が割り当てられたため、割り当てを終了する。図１３は、割り当て結果を示す表である。
【０００９】
【特許文献１】特開２００５−１０２２２５号公報
【発明の開示】
【発明が解決しようとする課題】
【００１０】
上述の従来技術における第１の問題点は、各移動局でのサブキャリアの伝送レートの分散値のみからサブキャリアを割り当てる移動局を選択しているため、伝送レートがどのようにばらついているかが考慮されておらず、効率的なサブキャリア割り当てが行われない場合があるというものである。
【００１１】
その理由について図を用いて説明する。
図１２において、移動局３は、各サブキャリアの平均伝送レートが高い一方でサブキャリア１の伝送レートが低いため、分散値が大きくなっている。他方、移動局１は平均伝送レートが低い一方でサブキャリア４の伝送レートが高いため、分散値が大きくなっている。
例えば、移動局１のサブキャリア４のように、平均伝送レートが低く、分散値が大きい移動局において伝送レートの大きいサブキャリアを割り当てたほうがシステム全体として効率のよい通信を行うことができるが、従来方式では多くのサブキャリアでの伝送レートが高いにも関わらず分散値が移動局１よりも大きい移動局３から割り当てが開始され、移動局３のサブキャリア３、４が割り当てられるために、移動局１では伝送レートが高いサブキャリア４に割り当てられることができなくなる。これにより移動局１においてサブキャリア３、４以外の伝送レートが１．５以下の伝送レートが低いサブキャリアを対象に割り当てが行われることになり、システム全体としてスループットが低くなってしまう。
【００１２】
第２の問題点は、サブキャリアの伝送レートの分散値が小さい移動局の優先度が低くなりサブキャリアを割り当てられなくなる可能性が生じて公平性が保てないという問題である。
【００１３】
分散値が大きい移動局から伝送レートの高いサブキャリアを割り当てるため、分散値が低い移動局が割り当て対象となるまでにサブキャリアがすべて割り当てられてしまい割り当てるサブキャリアがなくなってしまう場合があるため、このような問題が発生する。
【００１４】
本発明は、かかる課題を解決するためになされたものであり、システム全体としてスループットを向上させるサブキャリア割り当てを実現し、かつ移動局のサブキャリア割り当てに対してより公平性を持たせることが可能なマルチキャリア通信基地局装置及びサブキャリア割り当て方法を提供することを目的とする。
【課題を解決するための手段】
【００１５】
本発明の第１の態様にかかるマルチキャリア通信基地局装置は、複数のサブキャリアを用いて複数の移動局を周波数時軸上で多重化する周波数分割多元接続方式のマルチキャリア通信基地局装置であって、各移動局の各サブキャリアの伝送レート情報を管理する伝送レート情報管理部と、伝送レート情報に基づいてサブキャリア割り当てを行うサブキャリア割り当て部を備え、前記サブキャリア割り当て部は、各移動局において伝送レート情報に基づいて割り当て対象とするサブキャリアを選択する選択手段と、各移動局において伝送レート情報に基づいて、割り当て対象のサブキャリアに関する伝送レートの基準値を算出し、当該基準値と、割り当て外のサブキャリアの伝送レートの差分を評価した評価値を算出する評価値算出手段と、前記評価値算出手段により算出された評価値に基づいて各サブキャリアに割り当てる移動局の優先度を決定する優先度決定手段を有するものである。
【００１６】
本発明の第２の態様にかかるサブキャリア割り当て方法は、複数のサブキャリアを用いて複数の移動局を周波数時軸上で多重化する周波数分割多元接続方式におけるサブキャリア割り当て方法であって、各移動局において伝送レート情報に基づいて割り当て対象とするサブキャリアを選択するステップと、各移動局において伝送レート情報に基づいて、割り当て対象のサブキャリアに関する伝送レートの基準値を算出し、当該基準値と、割り当て外のサブキャリアの伝送レートの差分を評価した値を算出するステップと、評価値により各サブキャリアに割り当てる移動局の優先度を決定するステップを備えたものである。
【発明の効果】
【００１７】
本発明によれば、システム全体としてスループットを向上させるサブキャリア割り当てを実現し、かつ移動局のサブキャリア割り当てに対してより公平性を持たせることが可能なマルチキャリア通信基地局装置及びサブキャリア割り当て方法を提供することができる。
【発明を実施するための最良の形態】
【００１８】
図１は本発明の実施の形態にかかる無線通信システムの構成を示すブロック図である。図１に示されるように、当該無線通信システムは、複数の移動局２と、当該複数の移動局と無線によりデータの送受信を行うマルチキャリア通信基地局装置１を備えている。
【００１９】
図２は本実施の形態にかかるマルチキャリア通信基地局装置の構成を示すブロック図である。当該マルチキャリア通信基地局装置１は、サブキャリア割り当て部１１、無線フレーム生成部１２、無線部１３、アンテナ１４及び伝送レート情報管理部１５を備えている。
【００２０】
サブキャリア割り当て部１１には、送信データとその送信データの品質情報であるＱｏＳ情報が入力され、かつ、伝送レート情報管理部１５より出力された各移動局の各サブキャリアにおいて送信可能な伝送レート情報が入力される。ここで、サブキャリア割り当て部１１に入力される送信データは、あらかじめパケットスケジューリングを行ったデータであってもよい。当該サブキャリア割り当て部１１は、送信データ、ＱｏＳ情報、伝送レート情報に基づいて、サブキャリアに割り当てるデータを決定し、出力する。
【００２１】
無線フレーム生成部１２は、サブキャリア割り当て部１１から出力された、各サブキャリアに割り当てるデータを入力し、無線フレームを生成して無線部１３に出力する。このとき、入力したデータのサイズが無線フレームのサイズに満たない場合はパディングを行って無線フレームを生成する。
【００２２】
無線部１３は、無線フレーム生成部１２から入力した無線フレームの変調処理を行い、アンテナ１４に出力する。アンテナ１４は、変調された無線フレームを入力し、移動局２に対して送信する。
【００２３】
マルチキャリア通信基地局１は、各移動局２から送信された無線フレームをアンテナ１４によって受信し、無線部１３において復調処理を実行する。復調処理過程において、無線部１３は、無線フレームから受信状態を表す情報または移動局より通知された伝送レート情報を取得し、伝送レート情報管理部１５に出力する。
【００２４】
ここで、移動局２から情報として通知される伝送レートを用いる場合には、すべてのサブキャリアについて移動局２からマルチキャリア通信基地局１に通知される必要はなく、伝送レートの高いサブキャリアのみが通知されるようにしてもよい。
【００２５】
伝送レート情報管理部１５は、無線部１３から入力した各情報に基づいて、各移動局のサブキャリアごとに伝送レートを管理する。例えば、周波数分割複信（ＦＤＤ:Frequency Division Duplex）の場合には、上り回線と下り回線でそれぞれ別々の周波数帯域を使用、即ち送受信で通信路が異なるため、下り回線の伝送レートは移動局より上り回線を介して情報として通知される伝送レート情報を用いてもよい。また時分割複信(ＴＤＤ:Time Division Duplex)の場合には、上り回線と下り回線は同一の周波数帯域を使用、即ち送受信で通信路が同じであるため、下り回線の伝送レートは上り回線の無線信号から得られる受信状態より算出してもよい。ここで伝送レートは、適用する変調方式、符号化率から算出してもよい。また無線品質が著しく低いサブキャリアの伝送レートを０として算出してもよく、また割り当てを終了したサブキャリアとして扱うことで割り当てを行わないように設定してもよい。
【００２６】
次に図２のサブキャリア割り当て部１１の処理について、図３のフローチャートを用いて、図４〜図１０に示す具体例を参照しながら説明する。
【００２７】
まず、ステップＳ１において、データやＱｏＳ情報から、各移動局における各サブキャリアの伝送レート情報、要求された伝送レートを取得する。ここで、図４に具体例における各移動局の各サブキャリアの伝送レート情報、要求伝送レートを示す。本例では、移動局数が３、サブキャリア数が５である。この例では説明を分かりやすくするために、１サブキャリアあたり１シンボルが割り当て対象であるとしている。
【００２８】
次に、ステップＳ２において、移動局のインデックスをiとし、各移動局における伝送レートの閾値Ｒｔｈ，ｉをすべての移動局に対して設定する。ここで、閾値の設定方法としては、例えば各移動局の各サブキャリアの伝送レート情報から伝送可能な最大の伝送レートや平均伝送レートなどを算出し閾値として設定する方法がある。
【００２９】
ステップＳ３では、各移動局にて伝送レートが閾値Ｒｔｈ，ｉ未満のサブキャリアをデータ割り当ての対象外とする。このように、各移動局での割り当て対象となるサブキャリアを制限することによって、ある移動局のみにサブキャリア割り当てを優先しすぎるのを防ぐことができる。ここで、図５に伝送可能な最大の伝送レートを閾値として用いる場合の例を示した。図５に示すサブキャリアのうち、太枠で囲んだサブキャリアが割り当て対象であり、それ以外のサブキャリアは割り当ての対象外とされる。
【００３０】
ステップＳ４では、各移動局にて割り当て対象とされたサブキャリアの伝送レートの平均値を基準値として、その基準値と割り当て対象外とされたサブキャリアの伝送レートとの差分を評価した値Ｒｖ，ｉを算出する。例えば、移動局ｉにおけるＲｖ，ｉは、割り当て対象とされたサブキャリアの平均伝送レートをＲａｖｅ，ｉ、割り当て対象外とされたサブキャリア数をｎ、割り当て対象外とされたサブキャリアのインデックスをｐ、割り当て対象外とされたサブキャリアの伝送レートをＲｏ，ｐ、サブキャリア割り当て部にてあらかじめ決定したパラメータをＲｖ０としたときに、次式に基づいて算出するようにしてもよい。
【００３１】
【数３】
0004353302.tif 000002
【００３２】
このような式を用いることにより、今回割り当て対象となっているサブキャリアと割り当て対象外になっているサブキャリアでの伝送レートの違いを評価することで、今回の割り当てにおける移動局の優先度を把握することができる。ここで、要求伝送レートを満たした移動局のサブキャリア、割り当てを行った無線リソースが余っていないサブキャリアは割り当てを終了しているため割り当て対象外のサブキャリアに含まないこととする。またＲｖ０の値として設定可能な最大の値を用いてもよく、０として用いてもよい。図６に評価値Ｒｖ，ｉの算出結果を示す。
【００３３】
ステップＳ５にて一つのサブキャリアに割り当て対象となっている移動局数ｋを１に初期化する。そして、ステップＳ６にて各サブキャリアで割り当て対象となっている移動局がｋ個となっているサブキャリアを探索する。
【００３４】
次に、ステップＳ７において、割り当て対象となっている移動局k個のサブキャリアがあるかどうか判断する。割り当て対象となっている移動局がｋ個あるサブキャリアが存在しない場合はステップＳ８に進み、ｋの値を１増加させ、ステップＳ７に戻る。
【００３５】
さらに、ステップＳ９において、Ｒｖが一番大きい移動局を割り当て対象としているサブキャリアを選択する。もし、同じＲｖを持つ移動局を割り当て対象としているサブキャリアが複数存在した場合は、あらかじめ決めたサブキャリアのインデックスの小さいサブキャリアを選択する等をしてサブキャリアを一つのみ選択する。ここで、図６の例では、まず、サブキャリア３が選択される。
【００３６】
ステップＳ１０にてＳ９で選択したサブキャリアに対する割り当てを開始する。選択したサブキャリアにて割り当て対象となっている移動局の中で評価値Ｒｖが一番大きい移動局に無線リソースを割り当て、選択したサブキャリアに対して割り当てを行った移動局を割り当て対象外とする。ここで割り当てた伝送レート分だけ要求伝送レートの値を減算する。
【００３７】
また、割り当てを行うことにより、割り当てを行ったサブキャリアの無線リソースがなくなったら割り当てたサブキャリアに対して全ての移動局の割り当てを終了する。無線リソースとは、割り当てられるサブキャリアとシンボルのセットを表しており、時間方向に多数のシンボルを用いてサブキャリア割り当てを行う場合には一つのサブキャリアに複数のシンボルがあるため複数の移動局に割り当てることが可能である。
【００３８】
図６の例では１サブキャリアあたり１シンボルのみを割り当て対象としているため、移動局３に割り当てを行った後、サブキャリア３について全ての移動局の割り当てを終了する。図７にサブキャリア３に移動局３の割り当てを行い、サブキャリア３について全ての移動局の割り当てを終了した結果を示す。
【００３９】
次に、ステップＳ１１において、サブキャリアの割り当てにより移動局が要求している伝送レートを満たしたかどうかを判定する。移動局が要求している伝送レートを満たした場合には、ステップＳ１２に進み、要求している伝送レートを満たした移動局の全てのサブキャリアの割り当てを終了する。図７の例では移動局３は要求伝送レートを満足しないため、移動局３について全てのサブキャリアの割り当てを終了する動作は行わない。
【００４０】
ステップＳ１３において、選択したサブキャリアに無線リソースが余っておりかつ割り当てるべきデータがあるかどうかを判定する。
【００４１】
ステップＳ１４において、選択したサブキャリアの割り当てを終了し、選択したサブキャリアにおいて全ての移動局を割り当て対象から外す。図７の例ではサブキャリア３において既に全ての移動局が割り当て対象から外されているため、そのままサブキャリア３において全ての移動局を割り当て対象から外したままにする。
【００４２】
ステップＳ１５にて割り当て対象となっているサブキャリアが存在しかつ割り当てるべきデータがあるかどうかを判断する。図７の例ではサブキャリア１、４、５が割り当て対象となっているためステップＳ４へ戻る。ステップＳ４にてＲｖが更新され、ステップS７にて割り当て対象移動局が１個であるサブキャリア１、サブキャリア５が対象となる。サブキャリア１とサブキャリア５では移動局２のみを割り当て対象としているため、同じＲｖを持つ移動局を割り当て対象としている。本例では同じＲｖを持つ移動局を割り当て対象としているサブキャリアが複数存在した場合はサブキャリアインデックスの小さいサブキャリアから割り当てる方式を採用し、まずサブキャリア１に移動局２を割り当てる。この結果、サブキャリア１の無線リソースがなくなるためサブキャリア１について全ての移動局の割り当てを終了し、移動局２は要求伝送レートを満足するため、移動局２について全てのサブキャリアの割り当てを終了し、図８の結果となる。その後、再度ステップS４に戻り、サブキャリア４に移動局１が割り当てられ、サブキャリア４の無線リソースがなくなるためサブキャリア４について全ての移動局の割り当てを終了し、移動局１は要求伝送レートを満足するため、移動局１について全てのサブキャリアの割り当てを終了する。その結果図９となり、ステップＳ１６へ進む。
【００４３】
ステップＳ１６にて割り当てが終了していないサブキャリアが存在し、かつ割り当てるべきデータがあるかどうかを判定し、なければ終了する。図９の例ではまだ移動局３に割り当てるべきデータが存在するためステップＳ１７へ進む。
【００４４】
ステップＳ１７にて各移動局での伝送レートの閾値Ｒｔｈ，ｉの再設定を行い、ステップＳ３へ戻る。ここで、閾値の設定方法として例えば各移動局の各サブキャリアの伝送レート情報から伝送可能な最大の伝送レートや平均伝送レートなどを算出し閾値として設定してもよい。ステップS１７にて閾値の再設定し割り当てを繰り返し行うことにより、図９の例ではサブキャリア２に移動局３、サブキャリア５に移動局３を割り当てられ移動局１、２、３とも要求した伝送レートを満たし割り当てを終了する。図１０に、最終的な割り当て結果を示す。なお、図１０において要求伝送レートは減算を行う前の移動局から要求された伝送レートを表している。
【００４５】
なお、上記説明においてサブキャリアを最小単位として伝送レート算出、割り当てを行ったが、複数のサブキャリアをグルーピングしたサブチャネルを最小単位として各操作を行ってもよい。また、各移動局にて伝送レートを要求された伝送レートのみを考慮していたが、最小伝送レートと最大伝送レート等複数の伝送レートを設け、まず最小伝送レートを要求された伝送レートとして割り当て、その割り当ての後、無線リソースが余っているなら最大伝送レートを要求された伝送レートとして割り当てるなど複数の要求伝送レートを設定し繰り返し割り当てを行ってもよい。
【００４６】
以上説明したように本発明により、各移動局にて伝送レートの高いサブキャリアのみを割り当て対象とすることで割り当て対象のサブキャリア数を制限し割り当てを行い、その後割り当て対象となるサブキャリアを再度設定し割り当てるということを繰り返すことによって、各移動局の公平性を高めることができる。また割り当て対象となっているサブキャリアの伝送レートを基準に割り当て対象外としたサブキャリアの伝送レートとの差分を評価した値Ｒｖが高い移動局にサブキャリア割り当てに高い優先度を与えることで、各移動局でより伝送レートの高いサブキャリアでの割り当てが可能となりシステム全体としてスループットを向上させることができる。
【００４７】
第１の効果は、各移動局にて伝送レートの高いサブキャリアでの割り当てが可能となりシステム全体として効率的な通信を実現することができる。その理由は伝送レート情報を基に各移動局にて割り当て対象のサブキャリアの伝送レートの基準値を設定し、その基準値と割り当て対象外のサブキャリアの伝送レートの差分を評価した値を算出し、その評価した値により割り当てる移動局の優先度を決定することで基準値からのサブキャリアのばらつきを考慮した割り当てができるため効率的な割り当てが実現できるからである。
【００４８】
第２の効果は、サブキャリア割り当てに対して移動局の公平性を高めることができる。
その理由は、 割り当て対象となるサブキャリアを制限し割り当てるということを繰り返すことにより、優先度の高い移動局に対して多数のサブキャリアを一度に割り当てることを防ぐことができ各移動局に対するサブキャリア割り当ての公平性を高めることができるからである。
【図面の簡単な説明】
【００４９】
【図１】本発明の一実施例である無線通信システムの構成を示すブロック図である。
【図２】本発明のマルチキャリア通信基地局装置の構成を示すブロック図である。
【図３】本発明の実施形態に係るサブキャリア割り当て部１１の処理手順を示すフローチャートである。
【図４】本発明のサブキャリア割り当てを説明するための具体例を示したテーブルの図である。
【図５】本発明のサブキャリア割り当てを説明するための具体例を示したテーブルの図である。
【図６】本発明のサブキャリア割り当てを説明するための具体例を示したテーブルの図である。
【図７】本発明のサブキャリア割り当てを説明するための具体例を示したテーブルの図である。
【図８】本発明のサブキャリア割り当てを説明するための具体例を示したテーブルの図である。
【図９】本発明のサブキャリア割り当てを説明するための具体例を示したテーブルの図である。
【図１０】本発明のサブキャリア割り当てを説明するための具体例での割り当て結果を示したテーブルの図である。
【図１１】変調方式、符号化率より伝送レートを求めたテーブルの例を示した図である。
【図１２】従来方式のサブキャリア割り当てを説明するための具体例を示したテーブルの図である。
【図１３】従来方式のサブキャリア割り当てを説明するための具体例での割り当て結果を示したテーブルの図である。
【符号の説明】
【００５０】
１  マルチキャリア通信基地局
２  移動局
１１  サブキャリア割り当て部
１２  無線フレーム生成部
１３  無線部
１４  伝送レート情報管理部
【図１】
0004353302.tif 000005
【図２】
0004353302.tif 000006
【図３】
0004353302.tif 000007
【図４】
0004353302.tif 000008
【図５】
0004353302.tif 000009
【図６】
0004353302.tif 000010
【図７】
0004353302.tif 000011
【図８】
0004353302.tif 000012
【図９】
0004353302.tif 000013
【図１０】
0004353302.tif 000014
【図１１】
0004353302.tif 000015
【図１２】
0004353302.tif 000016
【図１３】
0004353302.tif 000017